(57)【要約】      （修正有）【課題】インストルメントパネルの変形を十分に抑制することを可能にする車載機器の配設構造を提供することを目的とする。【解決手段】本出願は、表示装置を配設するための配設構造１００を開示する。配設構造は、インストルメントパネルの少なくとも一部を形成するパネル部材２００と、表示装置を支持する第１ブラケット３００と、を備える。パネル部材は、開口領域の輪郭の一部を形成する第１縁部２１１と、第１縁部の下方で輪郭の他のもう一部を形成する第２縁部２２２と、第１縁部と第２縁部との間で延設され、開口領域を、筐体が挿入された第１開口部２２１と、第１開口部の隣の第２開口部２３７と、に仕切る立壁部２３５と、を含む。第１ブラケットは、クロスカービームＣＣＢから第１開口部に向けて延び、筐体を支持する支持面を有する支持部３１０と、第２開口部から露出するように支持部から延設され、筐体が固定される固定部３３０と、を含む。【選択図】図１
2018076015.tif 000002
【特許請求の範囲】
【請求項１】
インストルメントパネルの上面から立設される表示部に画像を表示するための電気的な処理を実行する電子部品が収容された筐体を有する表示装置を含む車載機器を配設するための配設構造であって、
前記インストルメントパネルの少なくとも一部を形成するパネル部材と、
前記表示装置を支持する第１ブラケットと、を備え、
前記パネル部材は、開口領域の輪郭の一部を形成する第１縁部と、前記第１縁部の下方で前記輪郭の他のもう一部を形成する第２縁部と、前記第１縁部と前記第２縁部との間で延設され、前記開口領域を、前記筐体が挿入された第１開口部と、前記第１開口部の隣の第２開口部と、に仕切る立壁部と、を含み、
前記第１ブラケットは、クロスカービームから前記第１開口部に向けて延び、前記筐体を支持する支持面を有する支持部と、前記第２開口部から露出するように前記支持部から延設され、前記筐体が固定される固定部と、を含む
車載機器の配設構造。
【請求項２】
前記第２開口部は、前記第１開口部の左又は右に位置する
請求項１に記載の配設構造。
【請求項３】
前記立壁部は、前縁と前記前縁よりも後方に位置する後縁とを有する板部材であり、
前記前縁から前記後縁までの距離は、前記クロスカービームの延設方向における前記立壁部の厚さよりも大きい
請求項１又は２に記載の配設構造。
【請求項４】
前記支持部は、前記延設方向に広がる板部材であり、
前記固定部は、前記支持部から屈曲され、前記延設方向よりも垂直方向に大きな寸法を有する板部材で形成されたアーム部と、前記アーム部から屈曲され、前記第２開口部から少なくとも部分的に露出する板部材で形成された端板部と、を含む
請求項３に記載の配設構造。
【請求項５】
前記端板部は、前記第２開口部に露出し、前記筐体に連結される第１部分と、前記パネル部材に重なる第２部分と、を含み、
前記第２部分は、前記パネル部材に連結される
請求項４に記載の配設構造。
【請求項６】
前記筐体に取り付けられる第２ブラケットを更に含み、
前記筐体は、前記支持面に対向する下面と、前記下面とは反対側の上面と、前記下面と前記上面との間で形成された側面と、を含み、
前記第２ブラケットは、前記側面に連結され、且つ、前記第１開口部へ延びる第１連結板部と、前記第１連結板部から屈曲され、前記パネル部材及び前記第１部分に連結される第２連結板部と、を含む
請求項５に記載の配設構造。
【請求項７】
前記立設壁は、前記第１連結板部と前記アーム部とによって挟まれる
請求項６に記載の配設構造。
【請求項８】
前記第２開口部は、上方且つ後方に開口している
請求項１乃至７のいずれか１項に記載の配設構造。
【発明の詳細な説明】
【技術分野】
【０００１】
本発明は、表示装置といった車載機器を車両に配設する技術に関する。
【背景技術】
【０００２】
表示装置や音響機器といった様々な機器は、多くの車両に搭載されている。車両の乗員は、表示装置から視覚的に様々な情報を得ることができる。乗員は、音響機器から聴覚的に様々な情報を得ることができる。
【０００３】
特許文献１は、表示装置を車両に搭載するための技術を開示する。特許文献１は、インストルメントパネルの上面から立設された表示部の周囲にベセル体を配置することを提案する。表示装置の重量は、ベセル体によって受け止められ、その後、ベセル体を通じて、インストルメントパネルに分散される。
【先行技術文献】
【特許文献】
【０００４】
【特許文献１】特開２０１４−１７７１４９号公報
【発明の概要】
【発明が解決しようとする課題】
【０００５】
インストルメントパネルは、一般的に、薄い板材から形成される。したがって、表示装置が、重いならば、インストルメントパネルは、下方に撓み変形することもある。特許文献１の技術は、インストルメントパネルの変形を緩和することに貢献することができるけれども、表示装置の重量は、インストルメントパネルに最終的に伝播されるので、特許文献１の技術は、インストルメントパネルの望ましくない変形を十分に抑制できないこともある。
【０００６】
本発明は、インストルメントパネルの変形を十分に抑制することを可能にする車載機器の配設構造を提供することを目的とする。
【課題を解決するための手段】
【０００７】
本発明の一局面に係る車載機器の配設構造は、インストルメントパネルの上面から立設される表示部に画像を表示するための電気的な処理を実行する電子部品が収容された筐体を有する表示装置を含む車載機器を配設するために好適に利用可能である。配設構造は、前記インストルメントパネルの少なくとも一部を形成するパネル部材と、前記表示装置を支持する第１ブラケットと、を備える。前記パネル部材は、開口領域の輪郭の一部を形成する第１縁部と、前記第１縁部の下方で前記輪郭の他のもう一部を形成する第２縁部と、前記第１縁部と前記第２縁部との間で延設され、前記開口領域を、前記筐体が挿入された第１開口部と、前記第１開口部の隣の第２開口部と、に仕切る立壁部と、を含む。前記第１ブラケットは、クロスカービームから前記第１開口部に向けて延び、前記筐体を支持する支持面を有する支持部と、前記第２開口部から露出するように前記支持部から延設され、前記筐体が固定される固定部と、を含む。
【０００８】
上記の構成に関して、インストルメントパネルの少なくとも一部を形成するパネル部材は、開口領域の輪郭の一部を形成する第１縁部と、第１縁部の下方で開口領域の輪郭の他のもう一部を形成する第２縁部と、の間で延設される立壁部を有するので、開口領域の周囲でのパネル部材の変形は、生じにくい。すなわち、立壁部は、パネル部材に高い剛性を与えることができるので、表示装置が、大きな重量を有しても、インストルメントパネルの変形は、生じにくくなる。
【０００９】
第１ブラケットの支持部は、クロスカービームから第１開口部に向けて延びるので、第１開口部に挿入された筐体を安定的に支持することができる。表示装置の重量の一部は、支持部からクロスカービームに伝達されるので、インストルメントパネルに過度に大きな重量は、負荷されない。したがって、表示装置が、大きな重量を有しても、インストルメントパネルの変形は、生じにくくなる。
【００１０】
第１ブラケットの固定部は、第２開口部から露出するので、作業者は、表示装置を第１ブラケットに容易に固定することができる。表示装置の筐体は、第１ブラケットの固定部に固定されるので、第１ブラケットは、表示装置を安定的に支持することができる。
【００１１】
上記の構成に関して、前記第２開口部は、前記第１開口部の左又は右に位置してもよい。
【００１２】
上記の構成によれば、第２開口部は、第１開口部の左又は右に位置するので、パネル部材を設計する設計者は、開口領域に小さな垂直寸法を与えることができる。したがって、設計者は、パネル部材にも、小さな垂直寸法を与えることができる。
【００１３】
上記の構成に関して、前記立壁部は、前縁と前記前縁よりも後方に位置する後縁とを有する板部材であってもよい。前記前縁から前記後縁までの距離は、前記クロスカービームの延設方向における前記立壁部の厚さよりも大きくてもよい。
【００１４】
上記の構成によれば、前縁から後縁までの距離は、クロスカービームの延設方向における立壁部の厚さよりも大きいので、立壁部は、表示装置の大きな重量を支えることができる。第１開口部と第２開口部との間の離間距離も小さくなるので、設計者は、開口領域に過度に大きな面積を与えなくてもよい。したがって、パネル部材の強度は、開口領域によっては過度に低減されない。
【００１５】
上記の構成に関して、前記支持部は、前記延設方向に広がる板部材であってもよい。前記固定部は、前記支持部から屈曲され、前記延設方向よりも垂直方向に大きな寸法を有する板部材で形成されたアーム部と、前記アーム部から屈曲され、前記第２開口部から少なくとも部分的に露出する板部材で形成された端板部と、を含んでもよい。
【００１６】
上記の構成によれば、支持部は、クロスカービームの延設方向に広がる板部材であるので、表示装置の筐体は、支持部によって、安定的に支持される。固定部は、支持部から屈曲され、クロスカービームの延設方向よりも垂直方向に厚い板部材で形成されたアーム部を含むので、第１ブラケットは、高い剛性を有することができる。固定部の端板部は、アーム部から屈曲され、第２開口部から少なくとも部分的に露出するので、作業者は、表示装置を第１ブラケットに容易に固定することができる。表示装置の筐体は、第１ブラケットの固定部に固定されるので、第１ブラケットは、表示装置を安定的に支持することができる。
【００１７】
上記の構成に関して、前記端板部は、前記第２開口部に露出し、前記筐体に連結される第１部分と、前記パネル部材に重なる第２部分と、を含んでもよい。前記第２部分は、前記パネル部材に連結されてもよい。
【００１８】
上記の構成によれば、端板部の第１部分は、第２開口部に露出するので、作業者は、表示装置を第１部分に容易に固定することができる。端板部の第２部分は、パネル部材に重なり、且つ、連結されるので、インストルメントパネルの剛性は、第１ブラケットによって高められる。
【００１９】
上記の構成に関して、配設構造は、前記筐体に取り付けられる第２ブラケットを更に含んでもよい。前記筐体は、前記支持面に対向する下面と、前記下面とは反対側の上面と、前記下面と前記上面との間で形成された側面と、を含んでもよい。前記第２ブラケットは、前記側面に連結され、且つ、前記第１開口部へ延びる第１連結板部と、前記第１連結板部から屈曲され、前記パネル部材及び前記第１部分に連結される第２連結板部と、を含んでもよい。
【００２０】
上記の構成によれば、第２ブラケットは、筐体の側面、パネル部材及び第２部分に連結されるので、表示装置は、第１ブラケット及びパネル部材だけでなく、第２ブラケットによっても支持される。すなわち、表示装置は、第１ブラケット、パネル部材及び第２ブラケットによって安定的に支持されることになる。
【００２１】
上記の構成に関して、前記立設壁は、前記第１連結板部と前記アーム部とによって挟まれてもよい。
【００２２】
上記の構成によれば、立設壁は、第１連結板部とアーム部とによって挟まれるので、配設構造は、立設壁の周囲において高い剛性を有することができる。
【００２３】
上記の構成に関して、前記第２開口部は、上方且つ後方に開口していてもよい。
【００２４】
上記の構成によれば、第２開口部は、上方且つ後方に開口しているので、作業者は、表示装置を第１ブラケットに容易に固定することができる。表示装置の筐体は、第１ブラケットの固定部に固定されるので、第１ブラケットは、表示装置を安定的に支持することができる。
【発明の効果】
【００２５】
上述の配設構造は、インストルメントパネルの変形を十分に抑制することを可能にする。
【図面の簡単な説明】
【００２６】
【図１】例示的な配設構造の概略的な斜視図である。
【図２】図１に示される配設構造によって支持される表示装置の概略的な斜視図である。
【図３】図２に示される表示装置が取り付けられた配設構造の概略的な斜視図である。
【図４】図１に示される配設構造の概略的な斜視図である。
【図５】図１に示される配設構造の概略的な斜視図である。
【発明を実施するための形態】
【００２７】
図１は、例示的な配設構造１００の概略的な斜視図である。図１を参照して、配設構造１００が説明される。「左」、「右」、「前」、「後」、「上」や「下」といった方向を表す用語、説明の明瞭化のみを目的とする。したがって、これらの用語は、本実施形態の原理を限定的に解釈するために用いられるべきではない。
【００２８】
配設構造１００は、パネル部材２００と、第１ブラケット３００と、を備える。パネル部材２００は、インストルメントパネルの少なくとも一部を形成する。第１ブラケット３００は、パネル部材２００と協働して、表示装置（図示せず）を支持する。
【００２９】
パネル部材２００は、上板部２１０と、取付板部２２０と、を含む。上板部２１０は、インストルメントパネルの上面の少なくとも一部を形成する。取付板部２２０は、上板部２１０から下方に延設される。取付板部２２０は、表示装置（図示せず）の取付に利用される。
【００３０】
上板部２１０は、上板部２１０と取付板部２２０の境界に沿って下方の突出する帯状の突出縁部２１１を含む。突出縁部２１１は、取付板部２２０に形成された中央開口部２２１の上側輪郭を形成する。本実施形態に関して、第１縁部は、突出縁部２１１によって例示される。
【００３１】
取付板部２２０は、ベース梁板２２２と、左連結板部２２３と、右連結板部２２４と、を含む。ベース梁板２２２は、略水平に延びる。中央開口部２２１の上側輪郭を形成する突出縁部２１１の部位は、ベース梁板２２２に略平行である。ベース梁板２２２は、突出縁部２１１の下方で、中央開口部２２１の下側輪郭を形成する。左連結板部２２３は、中央開口部２２１の左側において、ベース梁板２２２から上方に突出し、上板部２１０の下面に連結される。右連結板部２２４は、中央開口部２２１の右側において、ベース梁板２２２から上方に突出し、上板部２１０の下面に連結される。本実施形態に関して、第２縁部は、ベース梁板２２２によって例示される。
【００３２】
左連結板部２２３は、左立壁部２２５と、左固定壁部２２６と、を含む。左立壁部２２５は、中央開口部２２１の左側において左固定壁部２２６に形成された左開口部２２７を、中央開口部２２１から仕切る。左立壁部２２５は、ベース梁板２２２から突出縁部２１１へ延びる中央開口部２２１の左側輪郭を形成する。本実施形態に関して、第１開口部は、中央開口部２２１によって例示される。第２開口部は、左開口部２２７によって例示されてもよい。立壁部は、左立壁部２２５によって例示されてもよい。
【００３３】
左固定壁部２２６は、左立壁部２２５から左方に屈曲される。左固定壁部２２６は、第１ブラケット３００を取付板部２２０に連結するために用いられる。
【００３４】
右連結板部２２４は、右立壁部２３５と、右固定壁部２３６と、を含む。右立壁部２３５は、中央開口部２２１の右側において右固定壁部２３６に形成された右開口部２３７を、中央開口部２２１から仕切る。右立壁部２３５は、ベース梁板２２２から突出縁部２１１へ延びる中央開口部２２１の右側輪郭を形成する。右立壁部２３５は、左立壁部２２５に対向する。右立壁部２３５は、形状及び大きさにおいて、左立壁部２２５に略一致してもよい。本実施形態に関して、第２開口部は、右開口部２３７によって例示されてもよい。立壁部は、右立壁部２３５によって例示されてもよい。開口領域は、中央開口部２２１、左開口部２２７及び右開口部２３７によって例示される。
【００３５】
右固定壁部２３６は、右立壁部２３５から右方に屈曲される。右固定壁部２３６は、第１ブラケット３００を取付板部２２０に連結するために用いられる。
【００３６】
第１ブラケット３００は、支持部３１０と、左固定部３２０と、右固定部３３０と、を含む。支持部３１０は、取付板部２２０の前方で、略水平に延びるクロスカービームＣＣＢから、中央開口部２２１に向けて延びる薄板である。支持部３１０として用いられる薄板は、取付板部２２０からクロスカービームＣＣＢに向けて狭まる略台形状をなす。左固定部３２０は、左立壁部２２５の近くで、支持部３１０から上方に屈曲され、左固定壁部２２６に向けて延びる。左固定部３２０は、左固定壁部２２６にネジや他の適切な固定具によって連結される。右固定部３３０は、右立壁部２３５の近くで、支持部３１０から上方に屈曲され、右固定壁部２３６に向けて延びる。右固定部３３０は、右固定壁部２３６にネジや他の適切な固定具によって連結される。本実施形態に関して、固定部は、左固定部３２０及び右固定部３３０のうち一方によって例示される。
【００３７】
図２は、表示装置ＤＰＤの概略的な斜視図である。図１及び図２を参照して、配設構造１００が更に説明される。
【００３８】
図１を参照して説明された配設構造１００は、表示装置ＤＰＤの配設及び支持のために用いられる。したがって、パネル部材２００及び第１ブラケット３００の形状は、表示装置ＤＰＤの形状に適合するように設計される。本実施形態の原理は、パネル部材２００及び第１ブラケット３００それぞれの特定の形状に限定されない。
【００３９】
表示装置ＤＰＤは、筐体ＨＳＧと、表示部ＤＰＰと、取付板ＡＴＰを含む。表示部ＤＰＰに画像を表示するための電気的な処理を実行する様々な電子部品は、筐体ＨＳＧ内に収容される。筐体ＨＳＧから上方に突出した表示部ＤＰＰは、これらの電子部品によって生成された画像信号に応じて画像を表示する。
【００４０】
筐体ＨＳＧは、上面ＵＰＳと、下面ＢＭＳと、左側面ＬＳＳと、右側面ＲＳＳと、前面ＦＳＳと、後面（図示せず）と、を含む。上面ＵＰＳは、図１を参照して説明された上板部２１０に対向する。上面ＵＰＳとは反対側の下面ＢＭＳは、図１を参照して説明された第１ブラケット３００の支持部３１０に対向する。したがって、支持部３１０の上面は、筐体ＨＳＧを支持するための支持面として利用される。
【００４１】
左側面ＬＳＳは、上面ＵＰＳの左縁と下面ＢＭＳの左縁との間の略垂直な面である。右側面ＲＳＳは、上面ＵＰＳの右縁と下面ＢＭＳの右縁との間の略垂直な面である。前面ＦＳＳは、後面を全体的に覆う取付板ＡＴＰとは反対側の面である。本実施形態において、側面は、左側面ＬＳＳ及び右側面ＲＳＳのうち一方によって例示される。
【００４２】
表示部ＤＰＰは、前面ＤＦＳと、平坦な表示面（図示せず）と、を備える。上述の画像は、表示面に表示される。表示面とは反対側の前面ＤＦＳは、前方に湾曲する曲面を形成する。取付板ＡＴＰは、筐体ＨＳＧの後面を全体的に覆うだけでなく、表示部ＤＰＰの前面ＤＦＳを部分的に覆う。取付板ＡＴＰは、筐体ＨＳＧの後面と表示部ＤＰＰの前面ＤＦＳとに固定される。
【００４３】
図３は、表示装置ＤＰＤが取り付けられた配設構造１００の概略的な斜視図である。図１乃至図３を参照して、配設構造１００が更に説明される。
【００４４】
表示装置ＤＰＤの筐体ＨＳＧ（図２を参照）は、図１を参照して説明された中央開口部２２１に挿入される。この結果、筐体ＨＳＧの下面ＢＭＳ（図２を参照）は、第１ブラケット３００（図１を参照）の支持部３１０（図１を参照）に当接する。
【００４５】
図３に示される如く、取付板ＡＴＰは、中央部ＣＰＳと、左突出部ＬＰＳと、右突出部ＲＰＳと、を含む。中央部ＣＰＳは、筐体ＨＳＧの後面（図示せず）を全体的に覆う。中央部ＣＰＳには、コンパクトディスクや他の媒体が挿入される挿入口が形成されてもよい。筐体ＨＳＧ内の電子部品は、挿入口から挿入された媒体を、光学的或いは磁気的な技術を用いて走査し、媒体内の情報を読み出してもよい。筐体ＨＳＧ内の電子部品は、読み出された情報を用いて画像信号を生成してもよい。表示部ＤＰＰは、画像信号に応じて、表示面ＳＣＲに表示してもよい
【００４６】
左突出部ＬＰＳは、中央部ＣＰＳから左方に延び、筐体ＨＳＧの左側面ＬＳＳ（図２を参照）から突出する。左突出部ＬＰＳは、図１を参照して説明された左固定壁部２２６に重なる。右突出部ＲＰＳは、中央部ＣＰＳから右方に延び、筐体ＨＳＧの右側面ＲＳＳ（図２を参照）から突出する。右突出部ＲＰＳは、図１を参照して説明された右固定壁部２３６に重なる。
【００４７】
図４は、配設構造１００の概略的な斜視図である。図１乃至図４を参照して、配設構造１００へ表示装置ＤＰＤを固定するための例示的な構造が説明される。
【００４８】
図４に示される如く、左固定部３２０は、左アーム部３２１と、左端板部３２２と、を含む。左アーム部３２１は、クロスカービームＣＣＢの延設方向（すなわち、車幅方向）に広がる板部材によって形成された支持部３１０から上方に屈曲された板部材である。左端板部３２２は、左アーム部３２１の後端に連なる板部材である。左端板部３２２は、左アーム部３２１から左方に屈曲される。左アーム部３２１は、支持部３１０と左端板部３２２とに略直角である。左端板部３２２は、上部分３２３と、上部分３２３の下方の下部分３２４と、を含む。上部分３２３は、上方及び後方に開口した左開口部２２７に露出する。貫通孔３２５は、上部分３２３に形成される。貫通孔３２５（図１を参照）は、表示装置ＤＰＤ（図３を参照）の固定に利用される。下部分３２４は、左固定壁部２２６に重なる。貫通孔３２６（図４を参照）は、下部分３２４に形成される。左固定壁部２２６は、左開口部２２７の下方の矩形領域２２８を含む。貫通孔２２９（図１を参照）は、矩形領域２２８に形成される。矩形領域２２８の貫通孔２２９は、下部分３２４の貫通孔３２６に連なる。貫通孔２２９，３２６は、第１ブラケット３００をパネル部材２００に固定するために用いられる。
【００４９】
右固定部３３０は、左固定部３２０と同様の形状を有する。図４に示される如く、右固定部３３０は、右アーム部３３１と、右端板部３３２と、を含む。右アーム部３３１は、支持部３１０から上方に屈曲された板部材である。右端板部３３２は、右アーム部３３１の後端に連なる板部材である。右端板部３３２は、右アーム部３３１から右方に屈曲される。右アーム部３３１は、支持部３１０と右端板部３３２とに略直角である。右端板部３３２は、上部分３３３と、上部分３３３の下方の下部分（図示せず）と、を含む。上部分３３３は、上方及び後方に開口した右開口部２３７（図１を参照）に露出する。貫通孔３３５（図１を参照）は、上部分３３３に形成される。貫通孔３３５（図１を参照）は、表示装置ＤＰＤ（図３を参照）の固定に利用される。右端板部３３２の下部分は、右固定壁部２３６（図１を参照）に重なる。貫通孔（図示せず）は、右端板部３３２の下部分に形成される。右固定壁部２３６は、右開口部２３７（図１を参照）の下方の矩形領域２３８（図１を参照）を含む。貫通孔２３９（図１を参照）は、矩形領域２３８に形成される。矩形領域２３８の貫通孔２３９は、右端板部３３２の下部分の貫通孔に連なる。矩形領域２３８の貫通孔２３９及び右端板部３３２の下部分の貫通孔は、第１ブラケット３００をパネル部材２００に固定するために用いられる。
【００５０】
図２に示される如く、配設構造１００は、２つの第２ブラケット（図２は、１つの第２ブラケット４００のみを示す）を備える。２つの第２ブラケットは、左右対称の関係を有し、表示装置ＤＰＤの筐体ＨＳＧにそれぞれ取り付けられる。したがって、図２に示される左側の第２ブラケット４００に関する説明は、右側の第２ブラケット（図示せず）に援用される。
【００５１】
左側の第２ブラケット４００は、第１連結板部４１０と、第２連結板部４２０と、を含む。第１連結板部４１０は、筐体ＨＳＧの左側面ＬＳＳに連結される。第２連結板部４２０は、第１連結板部４１０の後端に連なる。第２連結板部４２０は、第１連結板部４１０から左方に屈曲される。貫通孔４２１は、第２連結板部４２０に形成される。
【００５２】
左側の第２ブラケット４００と同様に、右側の第２ブラケットは、第１連結板部（図示せず）と第２連結板部（図示せず）とを含む。右側の第２ブラケットの第１連結板部は、筐体ＨＳＧの右側面ＲＳＳに取り付けられる。右側の第２ブラケットの第２連結板部は、第１連結板部から右方に屈曲される。
【００５３】
取付板ＡＴＰの左突出部ＬＰＳは、取付板ＡＴＰの後面から前方に突出する左筒部ＬＴＢを含む（図２及び図３を参照）。左筒部ＬＴＢは、略円筒状の周壁ＬＣＷと、周壁ＬＣＷの前端を閉じる底壁ＬＢＷと、を含む。左側の第２ブラケット４００の第２連結板部４２０は、底壁ＬＢＷに重なる。ネジＳＣ１は、周壁ＬＣＷと底壁ＬＢＷとによって囲まれた凹空間に挿入される。ネジＳＣ１は、底壁ＬＢＷに形成された貫通孔（図示せず）を通じて、底壁ＬＢＷを貫通し、第２連結板部４２０の貫通孔４２１に挿通される。
【００５４】
取付板ＡＴＰの右突出部ＲＰＳは、取付板ＡＴＰの後面から前方に突出する右筒部ＲＴＢを含む（図３を参照）。右筒部ＲＴＢは、略円筒状の周壁ＲＣＷと、周壁ＲＣＷの前端を閉じる底壁ＲＢＷと、を含む。右側の第２ブラケットの第２連結板部は、底壁ＲＢＷに重なる。ネジＳＣ２は、周壁ＲＣＷと底壁ＲＢＷとによって囲まれた凹空間に挿入される。ネジＳＣ２は、底壁ＲＢＷに形成された貫通孔（図示せず）を通じて、底壁ＲＢＷを貫通し、右側の第２ブラケットの第２連結板部の貫通孔（図示せず）に挿通される。
【００５５】
図５は、配設構造１００の概略的な斜視図である。図１乃至図５を参照して、配設構造１００へ表示装置ＤＰＤを固定するための例示的な構造が更に説明される。
【００５６】
図５は、２つの第２ブラケットのうち１つ（すなわち、左側の第２ブラケット４００）のみを示す。上述の如く、右側の第２ブラケットは、左側の第２ブラケット４００と同様の構造を有するので、左側の第２ブラケット４００に関する説明は、右側の第２ブラケットに援用される。
【００５７】
左側の第２ブラケット４００の第１連結板部４１０は、筐体ＨＳＧ（図２を参照）の左側面ＬＳＳ（図２を参照）に沿って、中央開口部２２１に向けて延びる。第１連結板部４１０の後端は、中央開口部２２１から若干後方に突出する。第２連結板部４２０は、第１連結板部４１０の後端から左方に屈曲し、左端板部３２２の上部分３２３の後面に重なる。図４に示される如く、ナットＮＴ１は、左端板部３２２の上部分３２３の前面に溶接される。底壁ＬＢＷ（図３を参照）に形成された貫通孔（図示せず）及び第２連結板部４２０の貫通孔４２１に挿通されたネジＳＣ１は、左端板部３２２の上部分３２３の貫通孔３２５（図１を参照）に挿通され、ナットＮＴ１に螺合される。
【００５８】
右側の第２ブラケットの第１連結板部は、筐体ＨＳＧ（図２を参照）の右側面ＲＳＳ（図２を参照）に沿って、中央開口部２２１に向けて延びる。右側の第２ブラケットの第１連結板部の後端は、中央開口部２２１から若干後方に突出する。右側の第２ブラケットの第２連結板部は、第１連結板部の後端から右方に屈曲し、右端板部３３２の上部分３３３の後面に重なる。図４に示される如く、ナットＮＴ２は、右端板部３３２の上部分３３３の前面に溶接される。底壁ＲＢＷ（図３を参照）に形成された貫通孔（図示せず）及び右側の第２ブラケットの第２連結板部の貫通孔（図示せず）に挿通されたネジＳＣ２（図３を参照）は、右端板部３３２の上部分３３３の貫通孔３３５（図５を参照）に挿通され、ナットＮＴ２に螺合される。この結果、表示装置ＤＰＤの筐体ＨＳＧは、パネル部材２００、第１ブラケット３００及び２つの第２ブラケットに、取付板ＡＴＰを介して固定される。本実施形態に関して、第１部分は、左端板部３２２の上部分３２３及び右端板部３３２の上部分３３３のうち一方によって例示される。
【００５９】
図５は、ネジＳＣ３を示す。ネジＳＣ３は、ネジＳＣ１の下方で、左固定壁部２２６の貫通孔２２９（図１を参照）に挿通される。ネジＳＣ３は、左端板部３２２の下部分３２４（図４を参照）に形成された貫通孔３２６（図４を参照）に挿通される。ネジＳＣ３は、左端板部３２２の下部分３２４の前面に当接されるように配置されたナット（図示せず）と螺合される。同様に、右固定壁部２３６の貫通孔２３９（図１を参照）及び右端板部３３２の下部分（図示せず）に形成された貫通孔（図示せず）も、他のもう１つのネジによって貫通される。右固定壁部２３６及び右端板部３３２の下部分を貫通したネジは、右端板部３３２の下部分の前面に当接されるように配置されたナット（図示せず）と螺合される。この結果、第１ブラケット３００の後端（すなわち、左端板部３２２及び右端板部３３２）は、パネル部材２００に固定される。本実施形態に関して、第２部分は、左端板部３２２の下部分３２４及び右端板部３３２の下部分のうち一方によって例示される。
【００６０】
左開口部２２７の下方において、左端板部３２２、左固定壁部２２６及び左突出部ＬＰＳは、重なり合う。右開口部２３７の下方において、右端板部３３２、右固定壁部２３６及び右突出部ＲＰＳは、重なり合う。したがって、配設構造１００は、左開口部２２７及び右開口部２３７の下方において、特に高い剛性を有することができる。
【００６１】
図４に示される如く、左アーム部３２１は、左立壁部２２５の左面に当接される。右アーム部３３１は、右立壁部２３５の右面に当接される。図５に示される如く、左側の第２ブラケット４００の第１連結板部４１０は、左立壁部２２５の右面に当接される。右側の第２ブラケットの第１連結板部は、右立壁部２３５の左面に当接される。左アーム部３２１、左立壁部２２５及び左側の第２ブラケット４００の第１連結板部４１０は連接されるので、配設構造１００は、左立壁部２２５の周囲において、特に高い剛性を有することができる。同様に、右アーム部３３１、右立壁部２３５及び右側の第２ブラケットの第１連結板部は連接されるので、配設構造１００は、右立壁部２３５の周囲においても、特に高い剛性を有することができる。
【００６２】
図１及び図５に示される如く、上板部２１０は、左縁２１２と、右縁２１３と、凹縁２１４と、を含む。右縁２１３は、左縁２１２の右方に位置する。凹縁２１４は、左縁２１２と右縁２１３との間で、前方に凹む凹部を形成する。左縁２１２、右縁２１３及び凹縁２１４は、上板部２１０の後端縁を形成する。凹縁２１４によって形成される凹部は、表示部ＤＰＰの前面ＤＦＳの湾曲形状と相補的である。上述の如く、筐体ＨＳＧが、中央開口部２２１に挿入され、取付板ＡＴＰを介して、パネル部材２００、第１ブラケット３００及び第２ブラケット４００に固定されると、表示部ＤＰＰは、凹縁２１４によって形成される凹部に嵌め込まれる。この結果、表示部ＤＰＰは、上板部２１０の上面から上方に立設される。
【００６３】
＜他の特徴＞
設計者は、上述の配設構造に様々な特徴を与えることができる。以下に説明される特徴は、上述の実施形態に関連して説明された設計原理を何ら限定しない。
【００６４】
（立設壁）
図１に示される如く、左立壁部２２５は、前縁２４１と、後縁２４２と、を含む。前縁２４１は、クロスカービームＣＣＢに対向する。後縁２４２は、前縁２４１の後方で左立壁部２２５と左固定壁部２２６との間の境界を形成する。前縁２４１と後縁２４２との間の距離は、クロスカービームＣＣＢの延設方向における左立壁部２２５の厚さよりも充分に大きい。したがって、左立壁部２２５は、上板部２１０に作用する下向きの大きな力に対して十分な剛性を有することができる。
【００６５】
同様に、右立壁部２３５は、前縁２６１と、後縁２６２と、を含む（図６を参照）。前縁２６１は、クロスカービームＣＣＢに対向する。後縁２６２は、前縁２６１の後方で右立壁部２３５と右固定壁部２３６との間の境界を形成する。前縁２６１と後縁２６２との間の距離は、クロスカービームＣＣＢの延設方向における右立壁部２３５の厚さよりも充分に大きい。したがって、右立壁部２３５は、上板部２１０に作用する下向きの大きな力に対して十分な剛性を有することができる。
【００６６】
（アーム部）
図４に示される如く、左アーム部３２１及び右アーム部３３１は、クロスカービームＣＣＢの延設方向において薄い一方で、垂直方向において大きな寸法を有する。したがって、第１ブラケット３００は、第１ブラケット３００に作用する下向きの力（たとえば、表示装置ＤＰＤの重量）に抗することができる。
【００６７】
上述の様々な特徴は、様々な車両の全体的な設計に適合するように、組み合わされてもよいし、変更されてもよい。
【００６８】
上述の実施形態に関し、表示装置ＤＰＤの筐体ＨＳＧは、取付板ＡＴＰを介して、パネル部材２００、第１ブラケット３００及び第２ブラケット４００に固定されている。代替的に、設計者は、パネル部材２００、第１ブラケット３００及び第２ブラケット４００への直接的な連結が達成されるように、表示装置の筐体を設計してもよい。
【００６９】
上述の実施形態に関して、左端板部３２２及び右端板部３３２は、パネル部材２００から部分的に露出する。代替的に、設計者は、左端板部及び右端板部が、パネル部材２００の左開口部２２７及び右開口部２３７から全体的にそれぞれ露出するように、第１ブラケットを設計してもよい。この場合、設計者は、パネル部材２００に連結可能な他の部位を第１ブラケットに与えてもよい。
【産業上の利用可能性】
【００７０】
上述の実施形態の原理は、インストルメントパネルから立設された表示部を有する表示装置が搭載される様々な車両に好適に利用される。
【符号の説明】
【００７１】
１００・・・・・・・・・・・・・・・・・・・・配設構造
２００・・・・・・・・・・・・・・・・・・・・パネル部材
２１１・・・・・・・・・・・・・・・・・・・・突出縁部（第１縁部）
２２１・・・・・・・・・・・・・・・・・・・・中央開口部（第１開口部：開口領域）
２２２・・・・・・・・・・・・・・・・・・・・ベース梁板（第２縁部）
２２５・・・・・・・・・・・・・・・・・・・・左立壁部（立壁部）
２２７・・・・・・・・・・・・・・・・・・・・左開口部（第２開口部：開口領域）
２３５・・・・・・・・・・・・・・・・・・・・右立壁部（立壁部）
２３７・・・・・・・・・・・・・・・・・・・・右開口部（第２開口部：開口領域）
２４１，２６１・・・・・・・・・・・・・・・・前縁
２４２，２６２・・・・・・・・・・・・・・・・後縁
３００・・・・・・・・・・・・・・・・・・・・第１ブラケット
３１０・・・・・・・・・・・・・・・・・・・・支持部
３２０・・・・・・・・・・・・・・・・・・・・左固定部（固定部）
３２１・・・・・・・・・・・・・・・・・・・・左アーム部（アーム部）
３２２・・・・・・・・・・・・・・・・・・・・左端板部（端板部）
３２３，３３３・・・・・・・・・・・・・・・・上部分（第１部分）
３２４・・・・・・・・・・・・・・・・・・・・下部分（第２部分）
３３０・・・・・・・・・・・・・・・・・・・・右固定部（固定部）
３３１・・・・・・・・・・・・・・・・・・・・右アーム部（アーム部）
３３２・・・・・・・・・・・・・・・・・・・・右端板部（端板部）
４００・・・・・・・・・・・・・・・・・・・・第２ブラケット
４１０・・・・・・・・・・・・・・・・・・・・第１連結板部
４２０・・・・・・・・・・・・・・・・・・・・第２連結板部
ＢＭＳ・・・・・・・・・・・・・・・・・・・・下面
ＣＣＢ・・・・・・・・・・・・・・・・・・・・クロスカービーム
ＤＰＤ・・・・・・・・・・・・・・・・・・・・表示装置
ＤＰＰ・・・・・・・・・・・・・・・・・・・・表示部
ＨＳＧ・・・・・・・・・・・・・・・・・・・・筐体
ＬＳＳ・・・・・・・・・・・・・・・・・・・・左側面（側面）
ＲＳＳ・・・・・・・・・・・・・・・・・・・・右側面（側面）
ＵＰＳ・・・・・・・・・・・・・・・・・・・・上面
【図１】
2018076015.tif 000003
【図２】
2018076015.tif 000004
【図３】
2018076015.tif 000005
【図４】
2018076015.tif 000006
【図５】
2018076015.tif 000007